(57)【要約】【課題】  コンテンツ内の個コンテンツ情報を表示する際に、個コンテンツの個数や値段の幅、期間などの個コンテンツの属性を視覚的に表示する。【解決手段】  本発明は、複数の個コンテンツのサムネイル画像、該個コンテンツの数値で表現可能な少なくとも１つの属性情報を個コンテンツ毎に格納するコンテンツ情報記憶手段から個コンテンツ毎に、サムネイル画像及び属性情報を含むコンテンツ情報を読み出して表示手段に表示し、読み込まれた属性情報を抽出し、表示手段に表示されているサムネイルと該サムネイルの属性の種類がユーザにより選択されると、該サムネイルに対応するコンテンツの属性情報と、全個コンテンツの属性情報との比率を求め、比率を２次元空間の拡大率として、サムネイルの表示に奥行きを表示する。【選択図】  図１
2005309527.tif 000002
【特許請求の範囲】
【請求項１】
あるコンテンツ内に複数の個コンテンツが存在し、該個コンテンツに対応するサムネイルを１つの画面上に同時に表示する際に、該個コンテンツの情報量を表示するコンテンツ情報量表示装置であって、
前記複数の個コンテンツのサムネイル画像、該個コンテンツの数値で表現可能な少なくとも１つの属性情報を個コンテンツ毎に格納するコンテンツ情報記憶手段と、
前記コンテンツ情報記憶手段から前記個コンテンツ毎に、前記サムネイル画像及び前記属性情報を含むコンテンツ情報を読み出して表示手段に表示するデータ読み込み手段と、
前記データ読み込み手段により読み込まれた前記属性情報を抽出する属性情報抽出手段と、
前記表示手段に表示されているサムネイルと該サムネイルの属性の種類がユーザにより選択されると、該サムネイルに対応するコンテンツの属性情報と、全個コンテンツの属性情報との比率を求める比率計算手段と、
前記比率計算手段で求められた前記比率を２次元空間の拡大率として、サムネイルの表示に奥行きを表示する表示制御手段と、
を有することを特徴とするコンテンツ情報量表示装置。
【請求項２】
前記比率計算手段は、
全ての個コンテンツの属性情報の最小値をａとし、最大値をｂ、前記ユーザにより選択されたサムネイルに対応する個コンテンツの属性情報の値をｃとしたとき、
前記比率αを、
α＝（（ｃ・ａ）／（ｂ−ａ）
により求める手段を含み、
前記表示制御手段は、
前記比率αに所定のピクセル数を乗じた値を拡大率とする手段を含む請求項１記載のコンテンツ情報量表示装置。
【請求項３】
前記比率計算手段は、
前記拡大率を、前記表示手段の画面上の複数の個コンテンツに対応する該個コンテンツ毎のリストの数、または、個コンテンツ毎の価格、または、個コンテンツ毎の期間に基づいて前記比率を求める請求項２記載のコンテンツ情報量表示装置。
【請求項４】
あるコンテンツ内に複数の個コンテンツが存在し、該個コンテンツに対応するサムネイルを１つの画面上に同時に表示する際に、該個コンテンツの情報量を表示するコンテンツ情報量表示方法において、
前記複数の個コンテンツのサムネイル画像、該個コンテンツの数値で表現可能な少なくとも１つの属性情報を個コンテンツ毎に格納するコンテンツ情報記憶手段から前記個コンテンツ毎に、前記サムネイル画像及び前記属性情報を含むコンテンツ情報を読み出して表示手段に表示するデータ読み込みステップと、
前記データ読み込みステップにおいて、読み込まれた前記属性情報を抽出する属性情報抽出ステップと、
前記表示手段に表示されているサムネイルと該サムネイルの属性の種類がユーザにより選択されると、該サムネイルに対応するコンテンツの属性情報と、全個コンテンツの属性情報との比率を求める比率計算ステップと、
前記比率計算ステップで求められた前記比率を２次元空間の拡大率として、サムネイルの表示に奥行きを表示する表示制御ステップと、
からなることを特徴とするコンテンツ情報量表示方法。
【請求項５】
前記比率計算ステップは、
全ての個コンテンツの属性情報の最小値をａとし、最大値をｂ、前記ユーザにより選択されたサムネイルに対応する個コンテンツの属性情報の値をｃとしたとき、
前記比率αを、
α＝（（ｃ・ａ）／（ｂ−ａ）
により求めるステップを含み、
前記表示制御ステップは、
前記比率αに所定のピクセル数を乗じた値を拡大率とするステップを含む請求項４記載のコンテンツ情報量表示方法。
【請求項６】
前記比率計算ステップは、
前記拡大率を、前記表示手段の画面上の複数の個コンテンツに対応する該個コンテンツ毎のリストの数、または、個コンテンツ毎の価格、または、個コンテンツ毎の期間に基づいて前記比率を求める請求項４または、５記載のコンテンツ情報量表示方法。
【請求項７】
あるコンテンツ内に複数の個コンテンツが存在し、該個コンテンツに対応するサムネイルを１つの画面上に同時に表示する際に、該個コンテンツの情報量を表示するコンテンツ情報量表示プログラムであって、
コンピュータに、請求項４乃至６いずれか記載のコンテンツ情報量表示方法を実行させることを特徴とするコンテンツ情報量表示プログラム。
【請求項８】
あるコンテンツ内に複数の個コンテンツが存在し、該個コンテンツに対応するサムネイルを１つの画面上に同時に表示する際に、該個コンテンツの情報量を表示するコンテンツ情報量表示プログラムを格納した記憶媒体であって、
コンピュータに、請求項４乃至６いずれか記載のコンテンツ情報量表示方法を実行させるプログラムを格納したことを特徴とするコンテンツ情報量表示プログラムを格納した記憶媒体。
【発明の詳細な説明】
【技術分野】
【０００１】
本発明は、コンテンツ情報量表示装置及び方法及びプログラム及びコンテンツ情報量表示プログラムを格納した記憶媒体に係り、特に、ＨＴＭＬをはじめとするマルチメディア文書の蓄積・検索などの分野において、個々のコンテンツの情報量を表示するためのコンテンツ情報量表示装置及び方法及びプログラム及びコンテンツ情報量表示プログラムを格納した記憶媒体に関する。
【背景技術】
【０００２】
従来、複数のコンテンツの情報を同時に表示でき、さらに表示しているコンテンツ情報の詳細度に応じて同時表示できるコンテンツ数及び異なるリアルタイムアクセス情報群化装置において、代表画面とその付加情報としてコンテンツ内の個コンテンツの内容やアクセス数や投稿数、投稿内容を表示する技術がある。
【発明の開示】
【発明が解決しようとする課題】
【０００３】
しかしながら、上記従来の技術では、個コンテンツの個数や値段の幅、期間などを視覚的に表示することができない。
【０００４】
本発明は、上記の点に鑑みなされたもので、複数のコンテンツの情報を同時に表示でき、さらに表示しているコンテンツ情報の比率に応じて同時表示できるコンテンツリストの数及び異なるリアルタイムアクセス情報化装置において、コンテンツ内の個コンテンツ情報を表示する際に、個コンテンツの個数や値段の幅、期間などを視覚的に理解することが可能なコンテンツ情報量表示装置及び方法及びプログラム及びコンテンツ情報量表示プログラムを格納した記憶媒体を提供することを目的とする。
【課題を解決するための手段】
【０００５】
図１は、本発明の原理構成図である。
【０００６】
本発明は、あるコンテンツ内に複数の個コンテンツが存在し、該個コンテンツに対応するサムネイルを１つの画面上に同時に表示する際に、該個コンテンツの情報量を表示するコンテンツ情報量表示装置であって、
複数の個コンテンツのサムネイル画像、該個コンテンツの数値で表現可能な少なくとも１つの属性情報を個コンテンツ毎に格納するコンテンツ情報記憶手段１と、
コンテンツ情報記憶手段１から個コンテンツ毎に、サムネイル画像及び属性情報を含むコンテンツ情報を読み出して表示手段６に表示するデータ読み込み手段２と、
データ読み込み手段２により読み込まれた属性情報を抽出する属性情報抽出手段３と、
表示手段６に表示されているサムネイルと該サムネイルの属性がユーザにより選択されると、該サムネイルに対応するコンテンツの属性情報と、全個コンテンツの属性情報との比率を求める比率計算手段５と、
比率計算手段５で求められた比率を２次元空間の拡大率として、サムネイルの表示に奥行きを表示する表示制御手段５１と、を有する。
【０００７】
また、本発明の比率計算手段５は、
全ての個コンテンツの属性情報の最小値をａとし、最大値をｂ、ユーザにより選択されたサムネイルに対応する個コンテンツの属性情報の値をｃとしたとき、
比率αを、
α＝（（ｃ・ａ）／（ｂ−ａ）
により求める手段を含み、
表示制御手段５１は、
比率αに所定のピクセル数を乗じた値を拡大率とする手段を含む。
【０００８】
また、本発明の比率計算手段５は、
拡大率を、表示手段の画面上の複数の個コンテンツに対応する該個コンテンツ毎のリストの数、または、個コンテンツ毎の価格、または、個コンテンツ毎の期間に基づいて比率を求める。
【０００９】
図２は、本発明の原理を説明するための図である。
【００１０】
本発明は、あるコンテンツ内に複数の個コンテンツが存在し、該個コンテンツに対応するサムネイルを１つの画面上に同時に表示する際に、該個コンテンツの情報量を表示するコンテンツ情報量表示方法において、
複数の個コンテンツのサムネイル画像、該個コンテンツの数値で表現可能な少なくとも１つの属性情報を個コンテンツ毎に格納するコンテンツ情報記憶手段から個コンテンツ毎に、サムネイル画像及び属性情報を含むコンテンツ情報を読み出して表示手段に表示するデータ読み込みステップ（ステップ１）と、
データ読み込みステップにおいて、読み込まれた属性情報を抽出する属性情報抽出ステップ（ステップ２）と、
表示手段に表示されているサムネイルと該サムネイルの属性の種類がユーザにより選択されると、該サムネイルに対応するコンテンツの属性情報と、全個コンテンツの属性情報との比率を求める比率計算ステップ（ステップ３）と、
比率計算ステップで求められた比率を２次元空間の拡大率として、サムネイルの表示に奥行きを表示する表示制御ステップ（ステップ４）と、からなる。
【００１１】
また、本発明の比率計算ステップは、
全ての個コンテンツの属性情報の最小値をａとし、最大値をｂ、ユーザにより選択されたサムネイルに対応する個コンテンツの属性情報の値をｃとしたとき、
比率αを、
α＝（（ｃ・ａ）／（ｂ−ａ）
により求めるステップを含み、
表示制御ステップは、
比率αに所定のピクセル数を乗じた値を拡大率とするステップを含む。
【００１２】
また、本発明の比率計算ステップは、
拡大率を、表示手段の画面上の複数の個コンテンツに対応する該個コンテンツ毎のリストの数、または、個コンテンツ毎の価格、または、個コンテンツ毎の期間に基づいて比率を求める。
【００１３】
本発明は、あるコンテンツ内に複数の個コンテンツが存在し、該個コンテンツに対応するサムネイルを１つの画面上に同時に表示する際に、該個コンテンツの情報量を表示するコンテンツ情報量表示プログラムであって、
コンピュータに、上記のコンテンツ情報量表示方法を実行させる。
【００１４】
本発明は、あるコンテンツ内に複数の個コンテンツが存在し、該個コンテンツに対応するサムネイルを１つの画面上に同時に表示する際に、該個コンテンツの情報量を表示するコンテンツ情報量表示プログラムを格納した記憶媒体であって、
コンピュータに、上記のコンテンツ情報量表示方法を実行させるプログラムを格納したコンピュータ読み取り可能な記憶媒体である。
【発明の効果】
【００１５】
上記のように、本発明では、複数のコンテンツ情報を同時に表示でき、さらに表示しているコンテンツ情報の詳細度に応じて同時表示できるコンテンツ数及び異なるリアルタイムアクセス情報群化装置において、縦横だけではなく奥行き情報を用いることにより、コンテンツ内の個コンテンツの数や値段の幅、期間などを視覚的に表示し、理解を促進できるようになる。
【発明を実施するための最良の形態】
【００１６】
以下、図面と共に、本発明の実施の形態を説明する。
【００１７】
最初に、本発明の概要を説明する。
【００１８】
本実施の形態では、コンテンツとしてツアー情報を対象として説明する。
【００１９】
本発明では、コンテンツサムネイルを配置する空間の次元数を２次元とし、２次元空間に対する詳細度を２次元空間に対するズームイン、ズームアウトで決定する。詳細度の単位はコンテンツサムネイルを配置した空間全てが1画面に見える状態をズームレベル１、ズームインしていくと２次元の空間を拡大するものとして、その拡大率を比率としてズームレベルとする。
【００２０】
また、本発明は、事前に多次元空間に対する情報の厚みを個コンテンツリストの一番多いところ、値段の高いところ、期間の幅の広いところを１として、例えば、１０など決まったピクセル数の幅にして表示する。
【００２１】
図３は、本発明の一実施の形態におけるコンテンツ情報量表示装置の構成を示す。
【００２２】
同図に示すコンテンツ情報量表示装置は、コンテンツ情報格納部１、データ読み込み部２、情報抽出部３、コンテンツ情報表示対象決定部４、表示対象厚み決定部５及び表示部６から構成される。
【００２３】
コンテンツ情報格納部１は、個コンテンツ情報の集合を格納する。個コンテンツ情報とは、例えば、ツアー情報の場合は、画面に表示するサムネイルと、当該サムネイルの数値で表現可能な個コンテンツ毎のリスト数、値段や期間等の情報である。
【００２４】
データ読み込み部２は、コンテンツ情報格納部１から個コンテンツ情報を読み込む。
【００２５】
情報抽出部３は、読み込まれた個コンテンツ情報の属性情報である、個コンテンツリストの数、値段の幅、個コンテンツの期間を抽出する。
【００２６】
コンテンツ情報表示対象決定部４は、入力部７から入力されたユーザの指示により、注目するサムネイルと、個コンテンツの数、値段の幅、個コンテンツの期間等の属性情報のうちのどれを表示するかを決定する。
【００２７】
表示対象厚み決定部５は、コンテンツ情報表示対象決定部４で決定された表示対象について値の大きい部分を厚みとして表現して表示部６に表示する。ここで、厚みは所定のピクセル数の幅にして表現される。幅を厚く表示する場合にはズームインし、狭く表示する場合にはズームアウトの機能を用いて表示する。なお、厚みの計算方法については後述する。
【００２８】
表示部６は、複数のコンテンツのサムネイルを１つの画面に同時に表示可能であり、表示対象厚み決定部５により決定された厚みに従って、表示対象を表示する。
【００２９】
入力部７は、画面に表示されているサムネイルを選択すると共に、当該サムネイルの属性の種類を入力する。
【００３０】
図５は、本発明の一実施の形態におけるコンテンツ情報量表示装置の動作のフローチャートである。
【００３１】
ステップ１０１）  コンテンツ読み込み部２は、コンテンツ情報格納部１からサムネイル情報、コンテンツ情報の数や値段の幅、期間などを含むコンテンツ情報を読み込み、図５に示すように、表示部６に個コンテンツ情報をサムネイルとして表示する。個コンテンツ情報を表示部６に表示する際には、配置情報等を用いて個コンテンツ情報を編集して表示するがその方法については、既存の方法を用いるものとする。
【００３２】
ステップ１０２）  情報抽出部２において、読み込まれたコンテンツ情報の中から、個コンテンツリストの数、値段の幅、個コンテンツの期間を抽出する。ツアーに関するコンテンツの場合には、コンテンツリストの数、価格帯、期間等である。
【００３３】
ステップ１０３）  ユーザは、入力部７から注目する個コンテンツのサムネイルをクリックすると共に、当該サムネイルの属性の種類を指定する。コンテンツ情報表示対象決定部４は、ユーザの指示により、個コンテンツの数、値段の幅、個コンテンツの期間のうちのいずれかの属性を決定する。なお、ユーザが指示入力を行う際に、画面上に、どの属性を選択するかを示すウィンドウを表示し、その中からいずれかの属性を選択するものとする。
【００３４】
ステップ１０４）  決定された属性について厚みを決定する。情報の属性に対する厚みは、個コンテンツリストの数の一番多いところ、または、値段の高いところ、期間の幅の広いところと比較して、比率を決定し、表示の幅を決定する。例えば、個コンテンツの数を表示する場合には、比率は、以下のように決定する。含まれる個コンテンツ全体の最小の値をａ，最大の値をｂ、注目している個コンテンツ（ステップ１０３によりユーザによりクリックされたサムネイルに対応するコンテンツ）の値をｃとすると、比率αは、
α＝（（ｃ・ａ）／（ｂ−ａ））＊１０（ピクセル）        式（１）
により求められる。
【００３５】
ステップ１０５）  表示部６は、予め決定した幅（ピクセル数）をパラメータとして、表示用のプログラムに入力することで、図６に示すように、サムネイル上に各属性についての幅をズームイン・ズームアウトすることにより表示部６に表示する。
【００３６】
以下に、ツアー情報を例として説明する。
【００３７】
コンテンツ情報格納部１には、個コンテンツ毎に複数の行き先（コンテンツリスト）、価格、期間が個コンテンツ毎に格納されている。なお、図５、図６では、ツアー情報を例としているため、サムネイルの背景に地図データベース（図示せず）から読み出した地図が表示されており、その上にツアー情報の個コンテンツに対応するサムネイルが表示されている。
【００３８】
コンテンツ情報格納部１から個コンテンツ情報を読み出して、個コンテンツに対応するサムネイルを表示部６に表示する。ここで、ユーザからツアーのある「行き先」に対するサムネイルが指定され、属性として個コンテンツリストの数が選択された場合には、読み出された全ての個コンテンツ情報から、属性として個コンテンツリスト数を抽出し、サムネイルに表示する奥行きを表示するための比率を求める。その場合、最も個コンテンツリストの数が最も多い個コンテンツの値をｂとし、最も少ない個コンテンツ値をａとし、ユーザにより指定されたサムネイルに対応する個コンテンツの値をｃとし、上記の式（１）に代入することにより、ピクセル数（比率）を求め、当該ピクセル数に基づいて、サムネイル上に奥行きを図６に示すように表示する。
【００３９】
個コンテンツの価格、期間についても同様に、上記の式（１）にそれぞれの値を代入することにより、図６に示すようにサムネイル上に奥行きを表示することができる。式（１）に代入することにより求められたピクセル数を、個コンテンツに対応するサムネイルの配置情報に基づいて画面上に箱の形に置き、その上にサムネイルを貼り付けるように表示する。図６の例では、画面に表示されたツアー情報の地図上にピクセル数に対応する厚みを配置し、その上に読み込まれたコンテンツ情報に含まれるサムネイルを表示する。
【００４０】
また、本発明では、図４に示すフローチャートの動作をプログラムとして構築し、コンテンツ情報量表示装置として利用されるコンピュータにインストールし、ＣＰＵ等の制御手段により実行する、または、ネットワークを介して当該プログラムを取得してインストールして実行することも可能である。
【００４１】
また、構築されたプログラムをコンテンツ情報量表示装置として利用されるコンピュータに接続されるハードディスクや、フレキシブルディスク、ＣＤ−ＲＯＭ等の可搬記憶媒体に格納しておき、コンピュータにインストールして実行させることも可能である。
【００４２】
なお、本発明は、上記の実施の形態及び実施例に限定されることなく、特許請求の範囲内において、種々変更・応用が可能である。
【産業上の利用可能性】
【００４３】
本発明は、コンテンツの情報量を表示するシステム、例えば、ツアー情報やアンケートの統計情報等のコンテンツの数値的な情報を可視化するためのシステムに適用可能である。
【図面の簡単な説明】
【００４４】
【図１】本発明の原理構成図である。
【図２】本発明の原理を説明するための図である。
【図３】本発明の一実施の形態におけるコンテンツ情報量表示装置の構成図である。
【図４】本発明の一実施の形態におけるコンテンツ情報量表示装置の動作のフローチャートである。
【図５】本発明の一実施の形態における画面イメージ（初期画面）である。
【図６】本発明の一実施の形態における画面イメージ（奥行き表示）である。
【符号の説明】
【００４５】
１  コンテンツ情報記憶手段、コンテンツ情報格納部
２  データ読み込み手段、データ読み込み部
３  属性情報抽出手段、情報抽出部
４  コンテンツ情報表示対象決定部
５  比率計算部、表示対象厚み決定部
６  表示手段、表示部
７  入力手段
５１  表示制御手段
【図１】
2005309527.tif 000003
【図２】
2005309527.tif 000004
【図３】
2005309527.tif 000005
【図４】
2005309527.tif 000006
【図５】
2005309527.tif 000007
【図６】
2005309527.tif 000008